(57)【特許請求の範囲】
【請求項１】
送風方向に交差する方向に並んで配置された複数のファンと、
前記複数のファンが電気接続される配線基板と、
前記複数のファンの前記送風方向に直交する面が係合される側壁部と、前記配線基板が配置され前記複数のファンを支持する底部とを有するシャーシ部材と、
前記シャーシ部材の前記底部にねじ止め固定される固定部を有し、前記シャーシ部材の前記側壁部に係合された前記複数のファンを前記側壁部との間に挟み込むブラケット部材と、
を備えるファンユニット。
【請求項２】
前記ブラケット部材の前記固定部は、該固定部と前記シャーシ部材の前記底部との間に前記配線基板を挟んで、前記配線基板と共にねじ止め固定されている、請求項１に記載のファンユニット。
【請求項３】
前記配線基板には、隣接する前記ファンの間に、前記複数のファンのそれぞれにケーブルを介して電気接続される複数のコネクタが配置されている、請求項１または２に記載のファンユニット。
【請求項４】
前記ブラケット部材と前記シャーシ部材の前記側壁部には、互いに係合する係合手段がそれぞれ設けられている、請求項１ないし３のいずれか１項に記載のファンユニット。
【請求項５】
請求項１ないし４のいずれか１項に記載のファンユニットと、
前記ファンユニットによって冷却される電子部品と、
を備える電子機器。
【請求項６】
送風方向に交差する方向に並んで配置される複数のファンの、前記送風方向に直交する面を、シャーシ部材の側壁部に係合させるファン係合工程と、
前記シャーシ部材の、前記複数のファンを支持する底部に、前記複数のファンが電気接続される配線基板を配置する基板配置工程と、
前記シャーシ部材の前記側壁部に係合された前記複数のファンを、前記側壁部とブラケット部材との間に挟み込み、前記ブラケット部材の固定部を、前記シャーシ部材の前記底部にねじ止め固定するブラケット固定工程と、
を有するファンユニットの製造方法。
【請求項７】
前記ブラケット固定工程では、前記ブラケット部材の前記固定部と前記シャーシ部材の前記底部との間に前記配線基板を挟んで、前記配線基板と共に前記ブラケット部材の前記固定部を前記シャーシ部材の前記底部にねじ止め固定する、請求項６に記載のファンユニットの製造方法。
【請求項８】
前記ブラケット部材と前記シャーシ部材の前記側壁部とを係合手段を介して係合させるブラケット係合工程を更に有する、請求項６または７に記載のファンユニットの製造方法。
【発明の詳細な説明】
【技術分野】
【０００１】
本発明は、電子機器の内部を冷却するためのファンユニット、ファンユニットを備える電子機器、及びファンユニットの製造方法に関する。
【背景技術】
【０００２】
情報処理機器等の電子機器では、内部に実装された制御回路部等を構成する発熱部品を冷却する軸流送風機としてファンが用いられている。この種の電子機器としては、独立した複数のファンが、送風方向に直交する方向に並んで配置されたファンユニットを備えているものが知られている（例えば特許文献１参照）。【０００３】
図１に、本発明に関連するファンユニットの一例の斜視図を示す。図１に示すように、本発明に関連するファンユニット１０１は、複数のファン１０３と、複数のファン１０３を支持するシャーシ１０５と、複数のファン１０３と電気接続されるプリント基板１０４と、を備えている。【０００４】
各ファン１０３は、プリント基板１０４と電気接続されるファンケーブル（不図示）を有している。シャーシ１０５は、各ファン１０３がねじ止め固定される背面部１０５ａと、この背面部１０５ａに直交する底面部１０５ｂと、背面部１０５ａと対向する前面部１０５ｃとを有している。シャーシ１０５の底面部１０５ｂには、複数のファン１０３が送風方向に直交する図１中Ｘ軸方向に沿って配列されている。シャーシ１０５の背面部１０５ａには、各ファン１０３に対応する複数の吸気口（不図示）が開口されており、各吸気口に対応する位置に各ファン１０３が配置されている。各ファン１０３は、２箇所の角部に設けられたねじ穴（不図示）に、２本の固定用ねじ１０８が図１中Ｙ軸方向から差し込まれ、シャーシ１０５の背面部１０５ａにそれぞれ固定されている。【０００５】
プリント基板１０４には、複数のファン１０３とファンケーブルを介して電気接続される複数のコネクタ１２１と、これらコネクタ１２１と電気接続された電源コネクタ１２２とを有している。プリント基板１０４は、シャーシ１０５の底面部１０５ｂの一端に２本の固定用ねじ（不図示）で固定されている。また、各ファン１０３のファンケーブルは、シャーシ１０５の前面部１０５ｃの内側に沿ってプリント基板１０４まで引き回されており、各コネクタ１２１に電気接続されている。【０００６】
以上のように構成されたファンユニット１０１は、電子機器の背面部に設けられた装着部に装着されると共に、プリント基板１０４の電源コネクタ１２２に、電子機器側の接続プラグ（不図示）が差し込まれて電気接続されている。また、電子機器の装着部に取り付けられたファンユニット１０１は、シャーシ１０５が装着部に、シャーシ固定用ねじ１２８によってねじ止め固定されている。
【先行技術文献】
【特許文献】
【０００７】
【特許文献１】実開平５―２５７９４号公報
【発明の概要】
【発明が解決しようとする課題】
【０００８】
ところで、上述した本発明に関連する構成では、シャーシに１つのファンを固定するために、２本の固定用ねじを使っていた。このため、ファンユニットの製造工程では、ファンの組付け作業を行うために、［２本の固定用ねじをねじ止めするために要する時間］×［ファンの個数］で算出される作業時間を必要としており、複数のファンの組み付け作業が煩雑であった。【０００９】
また、本発明に関連する構成では、シャーシの底面部の一端部に配置されているプリント基板と各ファンとを電気接続するために、各ファンから延ばされたファンケーブルを、シャーシの前面部の内側に沿ってそれぞれ引き回して、プリント基板のコネクタに電気接続する必要があり、配線作業が煩わしかった。【００１０】
また、本発明に関連する構成では、シャーシの前面部に沿って引き回されるファンケーブルがシャーシから浮き上がるのを防ぐ構造として、例えばシャーシの一部を折り曲げた係合片を、シャーシ部材の前面部の複数箇所に形成し、各係合片にファンケーブルを引っ掛ける作業が必要であった。また、特にプリント基板に隣接して配置されたファンが有するファンケーブルは、コネクタに電気接続された状態で、ファンケーブルの長さに余りが生じて弛んでしまうので、例えばシャーシの背面部に、ファンケーブルの余長部分を結束バンドで固定して保持させるようなケーブル処理を行う必要があった。【００１１】
さらに、本発明に関連する構成では、シャーシの背面部にファンを固定用ねじで確実に固定するために、固定用ねじの先端がシャーシの背面部から、背面部の板厚方向に向かって背面部の外方に突き出されていた。このため、固定用ねじがシャーシの背面部から突き出た分を含むスペースが有効利用されずに無駄になっていた。そして、このように、固定用ねじの先端がシャーシの背面部から突き出ているので、ファンのシャーシ側、あるいはファンユニットが実装される電子機器側に、固定用ねじの先端との干渉を避けるためのスペースを確保する必要があった。【００１２】
そのため、例えば電子機器の前面と背面との間の寸法が、電子機器の仕様によって制約される場合、ファンユニットを電子機器の背面部に配置したときに、電子機器側の前面部に例えば発光ダイオード等の表示素子を配置するスペースを十分に確保することができず、電子機器の設計の自由度にも影響を及ぼすこともあった。【００１３】
本発明は、上記関連する技術の課題のいずれかを解決することができるファンユニット、電子機器、及びファンユニットの製造方法を提供することを目的とする。本発明の目的の一例は、複数のファンをシャーシ部材に並べて組み付ける作業を簡素化することにある。
【課題を解決するための手段】
【００１４】
上述した目的を達成するため、本発明に係るファンユニットは、送風方向に交差する方向に並んで配置された複数のファンと、複数のファンが電気接続される配線基板と、を備える。ファンユニットは、複数のファンの送風方向に直交する面が係合される側壁部と、配線基板が配置され複数のファンを支持する底部とを有するシャーシ部材を備える。また、ファンユニットは、シャーシ部材の底部にねじ止め固定される固定部を有し、シャーシ部材の側壁部に係合された複数のファンを側壁部との間に挟み込むブラケット部材と、を備える。【００１５】
また、本発明に係るファンユニットの製造方法は、送風方向に交差する方向に並んで配置される複数のファンの、送風方向に直交する面を、シャーシ部材の側壁部に係合させるファン係合工程と、シャーシ部材の、複数のファンを支持する底部に、複数のファンが電気接続される配線基板を配置する基板配置工程と、シャーシ部材の側壁部に係合された複数のファンを、側壁部とブラケット部材との間に挟み込み、ブラケット部材の固定部を、シャーシ部材の底部にねじ止め固定するブラケット固定工程と、を有する。
【発明の効果】
【００１６】
本発明によれば、シャーシ部材に複数のファンの組み付ける作業を簡素化し、複数のファンの組み付け作業時間を短縮することができる。【００１７】
また、本発明によれば、複数のファンをシャーシ部材に組み付けるために、ブラケット部材の固定部が、シャーシ部材の底部にねじ止め固定されることによって、シャーシ部材の側壁部から、側壁部の外方に固定用ねじが突出されることなく、固定用ねじが側壁部から突き出ていた部分を含むスペースを有効利用することが可能になる。
【図面の簡単な説明】
【００１８】
【図１】本発明に関連するファンユニットを示す斜視図である。
【図２】実施形態のファンユニットを示す斜視図である。
【図３】実施形態のファンユニットを示す分解斜視図である。
【図４】実施形態のファンユニットの組み立て途中の状態を示す分解斜視図である。
【図５】実施形態のファンユニットが用いられる無線通信装置の一例を示すブロック図である。
【図６】実施形態のファンユニットが用いられる無線通信装置が備える屋内装置の一例を示すブロック図である。
【図７】実施形態のファンユニットが装着される屋内装置を模式的に示す斜視図である。
【図８】ファンユニット側の電源コネクタを電子機器側の接続プラグに案内するガイド構造の構成例を示す平面図である。
【図９】実施形態のファンユニットが有するガイド構造を示す分解斜視図である。
【図１０】実施形態のファンユニットが有するガイド構造を示す平面図である。
【図１１】実施形態のファンユニットが有するガイド構造を示す側面図である。
【発明を実施するための形態】
【００１９】
以下、本発明の具体的な実施形態について、図面を参照して説明する。
【００２０】
図２に、実施形態のファンユニットの斜視図を示す。図３に、実施形態のファンユニットの分解斜視図を示す。図４に、実施形態のファンユニットの組み立て途中の状態の分解斜視図を示す。
【００２１】
図２及び図３に示すように、実施形態のファンユニット１は、送風方向に直交する図２中Ｘ軸方向に並んで配置された複数のファン３と、複数のファン３が電気接続される配線基板としてのプリント基板４と、複数のファン３を支持するシャーシ部材としてのシャーシ５と、を備えている。シャーシ５は、複数のファン３の送風方向に直交する面３ａが係合される側壁部としての背面部５ａと、プリント基板４が配置され複数のファン３を支持する底部としての底面部５ｂと、を有する。
【００２２】
また、ファンユニット１は、図３及び図４に示すように、シャーシ５の底面部５ｂにねじ止め固定される固定部６ｃを有してシャーシ５の背面部５ａに係合された複数のファン３を背面部５ａと後述する前面部６ａとの間に挟み込むブラケット部材としてのブラケット６と、ブラケット６の固定部６ｃをシャーシ５の底面部５ｂにねじ止め固定するための２本の固定用ねじ８と、を備えている。
【００２３】
ファン３は、軸流送風機であり、図３に示すように、プリント基板４と電気接続されるファンケーブル１１を有している。また、ファン３の、吸気側の面３ａの２箇所には、シャーシ５と係合される差し込み穴１２が形成されている。
【００２４】
シャーシ５の背面部５ａには、図３に示すように、各ファン３のそれぞれに対応する複数の吸気口１３が設けられている。また、背面部５ａには、各ファン３の差し込み穴１２に係合される差し込み片１４が、各吸気口１３の周囲に形成されている。また、シャーシ５の背面部５ａは、複数のファン３の間に位置してプリント基板４に電気接続されたコネクタケーブル１１がシャーシ５の外方に飛び出るのを規制する規制片１６を有している。
【００２５】
また、シャーシ５の底面部５ｂには、各ファン３の底面側が嵌め込まれる開口１７が形成されている。また、シャーシ５は、背面部５ａに対向する前面部５ｃと、背面部５ａ及び底面部５ｂに直交する側面部５ｄと、を有している。シャーシ５にブラケット６が取り付けられたとき、シャーシ５の前面部５ｃの内側にブラケット６の下端部が当接される。
【００２６】
プリント基板４は、各ファン３の底面に対応する部分が切り欠かれており、隣接する各ファン３の間に、複数のファン３のそれぞれにファンケーブル１１を介して電気接続される複数のコネクタ２１が配置されている。また、プリント基板４は、各ファン３の間に配置される配線部分４ａを有しており、配線部分４ａにコネクタ２１が配置されている。また、プリント基板４の端部には、各コネクタ２１と配線部分４ａを介して電気接続された電源コネクタ２２が配置されている。
【００２７】
そして、プリント基板４は、シャーシ５の底面部５ｂ上の一端に配置されており、２本の固定用ねじ８と１本の固定用ねじ９でねじ止め固定されている。すなわち、プリント基板４は、ブラケット６の固定部６ｃとシャーシ５の底面部５ｂとの間に挟まれて固定用ねじ８によって固定され、シャーシ５の底面部５ｂ上に固定用ねじ９によって固定されている。
【００２８】
ブラケット６は、図３に示すように、各ファン３の送風側を覆う前面部６ａと、配列された複数のファン３の一端側を覆う側面部６ｂと、を有している。そして、シャーシ５にブラケット６が取り付けられたとき、シャーシ５の底面部５ｂに支持された複数のファン３の周囲は、シャーシ５の背面部５ａ、前面部５ｃ、側面部５ｄと、ブラケット６の前面部６ａ、側面部６ｂとによって包囲され、配列された複数のファン３がしっかりと保持される。
【００２９】
また、ブラケット６の前面部６ａには、各ファン３にそれぞれ対応する複数の送風口２５が設けられている。そして、ブラケットに６は、シャーシ５の底面部５ｂにねじ止め固定される一組の固定部６ｃが、前面部６ａの一端と、側面部６ｂの一端にそれぞれ形成されている。
【００３０】
また、ブラケット６には、図３及び図４に示すように、ブラケット６には、シャーシ５の背面部５ａに係合される係合手段としての一組の係合片２３を有している。一組の係合片２３は、ブラケット６の一部を折り曲げて形成されている。一方、シャーシ５の背面部５ａには、ブラケット６の係合片２３とそれぞれ係合される係合手段としての一組の切り起こし片２４が折り曲げて形成されている。
【００３１】
また、ファンユニット１は、電子機器の装着部に装着されたときに、シャーシ５の側面部５ｄがシャーシ固定用ねじ２８によって装着部にねじ止め固定されている。
【００３２】
以上のように構成されたファンユニット１について、複数のファン３をシャーシ５に組み付ける動作を説明する。
【００３３】
まず、ファン３の差し込み穴１２に、シャーシ５の背面部５ａに設けられた差し込み片１４を挿入し、各ファン３をシャーシ５の背面部５ａに仮固定する。続いて、ファン３が有するファンケーブル１１を、プリント基板４上に実装されたコネクタ２１に差し込んだ後に、図４に示したように、プリント基板４をシャーシ５の底面部５ｂ上の所定の位置に載置する。
【００３４】
次に、プリント基板４をシャーシ５上の所定の位置に載置した後、図４中Ｚ軸方向における上方からブラケット６をシャーシ５の底面部５ｂに向かって下降させる。このとき、シャーシ５の背面部５ａの２箇所に設けられた一組の切り起こし片２４に、ブラケット６の一組の係合片２３をそれぞれ係合させる。
【００３５】
続いて、シャーシ５にブラケット６が係合された状態を確認した後、プリント基板４の上にブラケット６の固定部６ｃを載せて、固定部６ｃとシャーシ５の底面部５ｂとの間にプリント基板４の一部を挟んだ状態で、２本の固定用ねじ８で２つの固定部６ｃをシャーシ５の底面部５ｂに固定する。したがって、ブラケット６は、固定用ねじ８によって、プリント基板４と共にシャーシ５の底面部５ｂに共締めされる。
【００３６】
最後に、プリント基板４は、図３に示したように、固定用ねじ９によってシャーシ５の底面部５ｂにねじ止め固定される。なお、ファンユニット１は、電子機器の装着部に装着されたときに、シャーシ５の側面部５ｄが、シャーシ固定用ねじ２８によって装着部にねじ止め固定される。
【００３７】
上述したように、実施形態のファンユニット１によれば、各ファン３をシャーシ５の背面部５ａの差し込み片１４に差し込んで仮固定し、ブラケット６をシャーシ５に係合させた後に、ブラケット６を２本の固定用ねじ８を用いて２つの固定部６ｃでプリント基板４と共にシャーシ５の底面部５ｂにねじ止め固定することで、複数のファン３をシャーシ５に固定できる。すなわち、ファンユニット１は、個々のファン３自体がシャーシ５に固定用ねじ８で直接固定されずに、シャーシ５の背面部５ａとの間にファン３を挟み込むブラケット６がシャーシ５の底面部５ｂに固定用ねじ８で固定される。このため、本実施形態のファンユニット１の第１の効果として、シャーシ５に複数のファン３を組み付けるときにねじ止めを行う回数を削減することができるので、組み立て作業時間を短縮することが可能になる。したがって、本実施形態によれば、ファンユニット１の生産性を向上することができる。
【００３８】
また、本実施形態の第２の効果として、シャーシ５の背面部５ａに、ファン３がねじ止め固定されないので、上述した関連技術のようにシャーシの背面部から外方に固定用ねじを突出させる必要がなく、固定用ねじが背面部から突き出ていた部分を含むスペースを有効利用することが可能になる。すなわち、本実施形態によれば、関連技術においてシャーシの背面部から突出する固定用ねじの先端によって損なわれていたスペースを、シャーシ５の底面部５ｂにおける図３中Ｙ軸方向の幅寸法を増やすために利用することができる。そして、シャーシ５の底面部５ｂの幅寸法を増やすことで、底面部５ａの幅方向に対して、コネクタ２１を配置する部分と、コネクタ２１と電源コネクタ２２とを接続する配線部分４ａとを確保することが可能になる。このため、複数のファン３の間に配置された複数のコネクタ２１を有するように、シャーシ５の底面部５ｂにおける図３中Ｘ軸方向である長手方向全体に亘ってプリント基板４を形成することが可能になる。
【００３９】
したがって、本実施形態の第３の効果として、隣接する各ファン３の間に、ファン３のファンケーブル１１と接続されるコネクタ２１が配置されたプリント基板４を備えることによって、ファンケーブル１１をコネクタ２１に接続するまでの引き回し距離を短縮することができる。すなわち、本実施形態は、各ファン３と各コネクタ２１との間を最短距離で電気接続することが可能になり、ファンケーブル１１の余長部分のケーブル処理を行う必要がなくなる。また、ファンケーブル１１がシャーシ５から外部にはみ出すことが無くなるので、電子機器の装着部へファンユニット１を取り付ける際に、装着部とファンユニット１との間に、ファンケーブル１１を誤って挟み込むことを防ぐことができる。
【００４０】
また、本実施形態によれば、ファンユニット１が用いられる電子機器の仕様に応じて、ファン３の個数を適宜変更した場合であっても、本実施形態の構成を容易に利用することができ、上述と同様の効果を得ることができる。なお、本発明に係るファンユニットは、３つのファン３がシャーシ５に固定される構成に適用されたが、１つのファン３のみをシャーシ５に固定する構成として適用されてもよいことは勿論である。
【００４１】
ところで、本実施形態のファンユニットが用いられる電子機器の一例としては、移動体通信システムにおいて用いられる、無線基地局間を無線通信で接続するための無線通信装置が挙げられる。このような無線通信装置は、屋外装置（以下、ＯＤＵと称する）と、屋内装置（以下、ＩＤＵと称する）とに分割されており、ＯＤＵとＩＤＵとの間を同軸ケーブル等で接続する構成が一般に用いられている（特開２００６−１９７３４３号公報参照）。ＯＤＵはアンテナと共に屋外に設置され、信号を送受信する機能などを備えており、一方、ＩＤＵは屋内に設置され、信号の変復調や信号処理する機能などを備える。
【００４２】
図５に、無線通信装置の一例のブロック図を示す。図６に、無線通信装置が備えるＩＤＵの一例のブロック図を示す。
【００４３】
図５に示すように、Ａ局５１（Ｂ局６１）は、ベースバンド信号を入出力し、このベースバンド信号の変復調を行うＩＤＵ５２（６２）と、無線送受信器であるＯＤＵ５３（６３）と、ＩＤＵ５２（６２）とＯＤＵ５３（６３）との間をインターフェースする同軸ケーブル５５（６５）と、ＯＤＵ５３（６３）に接続され対向局との間で無線による送受信を行うアンテナ５４（６４）と、を備える。
【００４４】
図６に示すように、Ａ局５１（Ｂ局６１）のＩＤＵ５２（６２）は、ベースバンド信号処理回路７１と、変復調回路７２と、マルチプレクサ回路７３と、制御回路７４と、を有して構成されている。ベースバンド信号処理回路７１は、入力されたベースバンド信号を信号処理して変復調回路７２へ出力する機能と、変復調回路７２で復調再生された信号をベースバンド信号として外部機器へ出力する機能を備えている。
【００４５】
このようにＩＤＵは精密電子部品を備えており、本発明のファンユニットは精密電子部品を冷却するために用いられる。このファンユニットでは、ファンの個数の変更などを容易にするために着脱可能であることが望まれると共に、小型化も要求されている。
【００４６】
以上のように構成されたファンユニット１が、無線通信装置のＩＤＵに装着される状態について以下に説明する。図７に、実施形態のファンユニット１が装着されるＩＤＵの模式的な斜視図を示す。
【００４７】
図７に示すように、無線通信装置のＩＤＵ３１は、上述した実施形態のファンユニット１と、ファンユニット１が装着される装着部３２と、ファンユニット１の電源コネクタ２２と電気接続される接続プラグ３４を有する背面側配線基板３３と、ファンユニット１によって冷却される電子部品としての各種電子素子が実装された複数の回路基板３５と、これらを覆う筐体３６と、を備えている。
【００４８】
装着部３２は、筐体３６の前面部から背面部に亘って設けられており、ファンユニット１をＩＤＵ３１の前面部から着脱可能なスロットイン構造に構成されている。また、筐体３６の両側面部の前面部側には、複数のＩＤＵ３１が重ねて配置されるラック（不図示）に取り付けるときに、ラックにねじ止め固定される固定部材３８が設けられている。
【００４９】
以上のように構成されたＩＤＵ３１は、ファンユニット１によって筐体３６の一方の側面部側から吸気された空気で複数の回路基板３５が冷却される。そして、ファンユニット１によって、複数の回路基板３５を冷却した空気が、筐体３６の他方の側面部側から排気される。
【００５０】
このように、ファンユニット１は、図７に示すように、無線通信装置のＩＤＵ３１の装着部３２に挿入されて取り付けられる。これにより、ファンユニット１の電源コネクタ２２がＩＤＵ側の接続プラグ３４に接続される。このため、ファンユニット１を装着部３２に装着するときに、装着部３２の周壁やファンユニット１のシャーシ等の寸法公差の影響によって、電源コネクタ２２が接続プラグ３４に対して位置ずれした場合、接続不良や、電源コネクタ２２と接続プラグ３４が衝突し、接続プラグ３４を破損するおそれがある。したがって、ファンユニット１の電源コネクタ２２を接続プラグ３４に案内して接続するためのガイド構造が必要とされている。
【００５１】
このようなガイド構造として考えられる構成例の平面図を図８に示す。ガイド構造の一例としては、図８に示すように、背面側配線基板８１に実装された接続プラグ８２に隣接する位置に、電源コネクタ８５に対して案内するためのガイドピン８３を設けると共に、プリント基板８４に実装された電源コネクタ８５に隣接する位置にガイドピン８３が挿通されるガイド部材８６を設ける構成が考えられる。しかし、この構成の場合、ガイド部材８６を配置するためのスペースをプリント基板８４に確保する必要があり、プリント基板８４の大型化、ひいてはファンユニット全体の大型化を招いてしまう。そのため、ガイドピン８３を用いたガイド構造を、小型化が望まれているファンユニットに採用することは困難である。加えて、ファンユニット及び装着部にガイド部材８６やガイドピン８３を追加する必要があるので、製造コストの増加を招く不都合もある。
【００５２】
そこで、本実施形態のファンユニット１では、電源コネクタ２２を接続プラグに案内するガイド構造が簡素に構成されている。図９に、本実施形態のファンユニット１が有するガイド構造の斜視図を示す。図１０に、本実施形態のファンユニット１が有するガイド構造の平面図を示す。図１１に、本実施形態のファンユニット１が有するガイド構造の側面図を示す。
【００５３】
図９及び図１０に示すように、本実施形態のファンユニット１が備えるシャーシ５の底面部５ｂの一端部には、接続先の接続プラグ３４の両側面に沿って摺接する一対のガイド片２７ａ，２７ｂが、電源コネクタ２２のＹ軸方向の両側に設けられている。これらのガイド片２７ａ，２７ｂは、シャーシ５の底面部５ｂを折り曲げて形成されている。このように、ガイド片２７ａ，２７ｂは、シャーシ５と一体で形成されている。
【００５４】
また、ＩＤＵの装着部３２には、接続プラグ３４を有する背面側配線基板３３が配置されており、背面側配線基板３３が電源部（不図示）と電気接続されている。図１１に示すように、電源コネクタ２２が接続される、ＩＤＵ側に設置された接続プラグ３４は、断面Ｕ字状に形成されており、接続プラグ３４に接続される、ファンユニット１側に設置された電源コネクタ２２の上面と下面を挟み込む一対の上片３４ａと下片３４ｂを有している。
【００５５】
また、シャーシ５の先端部に形成された一対のガイド片２７ａ，２７ｂは、接続プラグ３４に対して電源コネクタ２２を挿抜するときに、接続プラグ３４の下片３４ｂを両側から挟み込んで、電源コネクタ２２が接続プラグ３４に対してＹ軸方向の正しい位置に案内される。また、ガイド片２７ａ，２７ｂは、シャーシ５を折り曲げて形成されているので、シャーシ５と厚みが同程度に形成されており、非常にコンパクトに形成されている。
【００５６】
以上のように構成されたファンユニット１が装着部３２に装着されるとき、シャーシ５の底面部５ｂの幅方向と平行な、電源コネクタ２２の幅方向の両側に配置された一対のガイド片２７ａ，２７ｂが、接続プラグ３４の下片３４ｂの両側面に沿って摺接される。このため、接続プラグ３４は、一対のガイド片２７ａ，２７ｂによって、電源コネクタ２２の幅方向の位置が位置決めされて、電源コネクタ２２に向かって案内されて、電源コネクタ２２と接続プラグ３４とが正確に位置決めされて電気接続される。また、ファンユニット１が装着部３２に装着されるとき、接続プラグ３４は、電源コネクタ２２を一対の上片３４ａと下片３４ｂによって上下から挟み込むことで、電源コネクタ２２に対する図１１中Ｚ軸方向の位置が位置決めされている。
【００５７】
上述したように、本実施形態のファンユニット１によれば、電源コネクタ２２を接続プラグ３４に対して案内する一対のガイド片２７ａ，２７ｂを有することで、ファンユニット１を装着部３２に装着するときに、電源コネクタ２２と接続プラグ３４とが正確に位置決めされて電気接続される。このため、本実施形態は、電源コネクタ２２や接続プラグ３４が破損することを防ぎ、電気的な接続状態の信頼性を向上することができる。したがって、本実施形態によれば、ガイド構造のための別部品をファンユニット１やＩＤＵ３１に追加することなく簡素な構成によって、ＩＤＵ３１の装着部３２に対してファンユニット１を容易に着脱可能な構成を実現することができる。
【００５８】
なお、上述した実施形態では、着脱可能なファンユニット１を無線通信装置の屋内装置（ＩＤＵ）３１に適用する例を説明したが、他の電子機器、特に情報通信機器に用いることも可能である。
【００５９】
本実施形態のファンユニット構造は、この種の電子機器の個々の仕様に応じてファン３の個数を変更する作業や、複数のファン３を組み付け及び分解するメンテナンス作業を簡素化することができる。
【００６０】
以上、実施形態を参照して本発明を説明したが、本発明は上記実施形態に限定されるものではない。本発明の構成や詳細に対して、本発明のスコープ内で当業者が理解し得る様々な変更を行うことができる。
【００６１】
この出願は、２０１０年６月２８日に出願された日本出願特願２０１０−１４６１６９を基礎とする優先権を主張し、その開示の全てをここに取り込む。
【符号の説明】
【００６２】
１  ファンユニット
３  ファン
３ａ  面
４  プリント基板
５  シャーシ
５ａ  背面部
５ｂ  底面部
６  ブラケット
６ｃ  固定部
８  固定用ねじ
１１  ファンケーブル
２１  コネクタ
２２  電源コネクタ
２３  係合片
２４  切り起こし片
【図１】
0005387772.tif 000002
【図２】
0005387772.tif 000003
【図３】
0005387772.tif 000004
【図４】
0005387772.tif 000005
【図５】
0005387772.tif 000006
【図６】
0005387772.tif 000007
【図７】
0005387772.tif 000008
【図８】
0005387772.tif 000009
【図９】
0005387772.tif 000010
【図１０】
0005387772.tif 000011
【図１１】
0005387772.tif 000012